(57)【要約】測定ギャップ中にユーザ機器（ＵＥ）によって測定を行う方法は、ＵＥ固有の測定を行うことで開始する。ＵＥは、無線ネットワークに測定ギャップを要求し、その要求は、ＵＥ固有の測定を含む。ＵＥは、測定ギャップがスケジュールされている時を含む測定ギャップ情報をネットワークから受信する。ＵＥは、スケジュールされた測定ギャップ中に測定を行う。
2010516185.tif 000002
【特許請求の範囲】
【請求項１】
測定ギャップ中にユーザ機器（ＵＥ）によって測定を行う方法であって、
ＵＥ固有の測定を行うステップと、
無線ネットワークに測定ギャップを要求するステップであって、その要求は前記ＵＥ固有の測定を含むステップと、
前記ネットワークから測定ギャップ情報を受信するステップであって、前記測定ギャップ情報は前記測定ギャップがスケジュールされている時を含むステップと、
前記スケジュールされた測定ギャップ中に測定を行うステップと
を備えることを特徴とする方法。
【請求項２】
前記測定ギャップ情報は、測定目的の数、測定目的の列挙リスト、測定ギャップパターンスキーム、測定ギャップパターンと異なる測定目的の間のペアリングの列挙、１つのギャップパターン内における異なるギャップタイプの数、１つのギャップパターン内における測定目的のシーケンス、ギャップパターンの１つのギャップ内における測定目的の数、１つのギャップ内における測定目的のシーケンス、測定ギャップパターンパラメータ、ギャップパターン識別子、開始測定ギャップシーケンス番号、測定ギャップ長、測定ギャップ持続時間、および測定ギャップパターン長のうちの少なくとも１つを含むことを特徴とする請求項１に記載の方法。
【請求項３】
前記測定ギャップの終了前にすべての測定が行われたかどうかを判定するステップと、
前記測定ギャップの前記終了前に前記すべての測定が行われた場合、前記ネットワークに通知を送信するステップと、
前記測定ギャップの前記終了前に前記すべての測定が行われていない場合、前記ネットワークに拡張測定ギャップを要求するステップと
をさらに備えることを特徴とする請求項１に記載の方法。
【請求項４】
測定ギャップをスケジュールする方法であって、
測定ギャップを求める要求をユーザ機器（ＵＥ）から受信するステップであって、前記要求はＵＥ固有の測定を含むステップと、
前記受信した測定に基づいて測定ギャップをスケジュールするステップと、
測定ギャップ情報を前記ＵＥに通知するステップであって、それによって、前記ＵＥは前記スケジュールされた測定ギャップ中に測定を行うことができるステップと
を備えることを特徴とする方法。
【請求項５】
前記スケジュールするステップが、前記ＵＥによって要求された各測定目的に対して１つの測定ギャップをスケジュールするステップを含むことを特徴とする請求項４に記載の方法。
【請求項６】
異なる測定ギャップが、前記ＵＥによって監視される各無線技術に対してスケジュールされることを特徴とする請求項５に記載の方法。
【請求項７】
監視される前記無線技術は、ロングタームエボリューション周波数間、グローバルエボリューション無線アクセスネットワークのための移動体通信用グローバルシステム拡張データレート、ユニバーサル移動体通信システム地上無線アクセスネットワーク、符号分割多元接続２０００、８０２．１１、８０２．１６、および８０２．２１のうちの少なくとも１つであることを特徴とする請求項６に記載の方法。
【請求項８】
前記スケジュールするステップが、前記ＵＥによって要求された各測定目的に対して異なる測定ギャップ長をスケジュールするステップを含むことを特徴とする請求項４に記載の方法。
【請求項９】
異なる測定ギャップが、前記ＵＥによって監視される各無線技術に対してスケジュールされることを特徴とする請求項８に記載の方法。
【請求項１０】
監視される前記無線技術は、ロングタームエボリューション周波数間、グローバルエボリューション無線アクセスネットワークのための移動体通信用グローバルシステム拡張データレート、ユニバーサル移動体通信システム地上無線アクセスネットワーク、符号分割多元接続２０００、８０２．１１、８０２．１６、および８０２．２１のうちの少なくとも１つであることを特徴とする請求項９に記載の方法。
【請求項１１】
前記測定ギャップ情報は、測定目的の数、測定目的の列挙リスト、測定ギャップパターンスキーム、測定ギャップパターンと異なる測定目的の間のペアリングの列挙、１つのギャップパターン内における異なるギャップタイプの数、１つのギャップパターン内における測定目的のシーケンス、ギャップパターンの１つのギャップ内における測定目的の数、１つのギャップ内における測定目的のシーケンス、測定ギャップパターンパラメータ、ギャップパターン識別子、開始測定ギャップシーケンス番号、測定ギャップ長、測定ギャップ持続時間、および測定ギャップパターン長のうちの少なくとも１つを含むことを特徴とする請求項４に記載の方法。
【請求項１２】
前記測定ギャップの終了前に前記ＵＥが測定の実行を完了した旨の通知を受信するステップと、
前記測定ギャップに割り当てられている無線リソースを他の目的に再アロケートするステップと
をさらに備えることを特徴とする請求項４に記載の方法。
【請求項１３】
前記ＵＥが測定を行うために追加の時間を必要とする旨の要求を受信するステップと、
拡張測定ギャップをスケジュールするステップと、
拡張測定ギャップ情報を前記ＵＥに通知するステップと
をさらに備えることを特徴とする請求項４に記載の方法。
【請求項１４】
連続する測定ギャップの間の時間長を決定するステップをさらに備えることを特徴とする請求項４に記載の方法。
【請求項１５】
前記決定するステップが、
前記ＵＥの速度測定を受け取るステップと、
前記ＵＥ速度測定を複数の閾値と比較するステップと、
比較結果に基づいて前記時間長を決定するステップと
を含むことを特徴とする請求項１４に記載の方法。
【請求項１６】
前記ＵＥ速度が所定の期間にわたって高速度閾値より大きい場合、短い時間長を使用することを特徴とする請求項１５に記載の方法。
【請求項１７】
前記ＵＥ速度が所定の期間にわたって高速度閾値と低速度閾値の間にある場合、中間の時間長を使用することを特徴とする請求項１５に記載の方法。
【請求項１８】
前記ＵＥ速度が所定の期間にわたって低速度閾値より低い場合、長い時間長を使用することを特徴とする請求項１５に記載の方法。
【請求項１９】
前記決定するステップが、
前記ＵＥの経路損失測定を受け取るステップと、
前記ＵＥ経路損失測定を複数の閾値と比較するステップと、
比較結果に基づいて前記時間長を決定するステップと
を含むことを特徴とする請求項１４に記載の方法。
【請求項２０】
前記ＵＥ経路損失が所定の期間にわたって高経路損失閾値より大きい場合、短い時間長を使用することを特徴とする請求項１９に記載の方法。
【請求項２１】
前記ＵＥ経路損失が所定の期間にわたって高経路損失閾値と低経路損失閾値の間にある場合、中間の時間長を使用することを特徴とする請求項１９に記載の方法。
【請求項２２】
前記ＵＥ経路損失が所定の期間にわたって低経路損失閾値より低い場合、長い時間長を使用することを特徴とする請求項１９に記載の方法。
【請求項２３】
測定ギャップ中に測定を行うように構成されたユーザ機器（ＵＥ）において、
ＵＥ固有の測定を行うように構成されたＵＥ測定デバイスと、
前記ＵＥ測定デバイスと通信する測定ギャップデバイスであって、
前記ＵＥ固有の測定を受け取り、
無線ネットワークに測定ギャップを要求し、その要求は前記ＵＥ固有の測定を含み、また
前記ネットワークから測定ギャップ情報を受信する
ように構成された測定ギャップデバイスと、
前記測定ギャップデバイスと通信する外部測定デバイスであって、
前記測定ギャップデバイスから測定ギャップ情報を受け取り、
前記測定ギャップ中に外部測定を要求し、
前記外部測定を受信する
ように構成された外部測定デバイスと
を備えたことを特徴とするユーザ機器（ＵＥ）。
【請求項２４】
前記測定ギャップ情報は、測定目的の数、測定目的の列挙リスト、測定ギャップパターンスキーム、測定ギャップパターンと異なる測定目的の間のペアリングの列挙、１つのギャップパターン内における異なるギャップタイプの数、１つのギャップパターン内における測定目的のシーケンス、ギャップパターンの１つのギャップ内における測定目的の数、１つのギャップ内における測定目的のシーケンス、測定ギャップパターンパラメータ、ギャップパターン識別子、開始測定ギャップシーケンス番号、測定ギャップ長、測定ギャップ持続時間、および測定ギャップパターン長のうちの少なくとも１つを含むことを特徴とする請求項２３に記載のＵＥ。
【請求項２５】
前記外部測定デバイスは、前記測定ギャップデバイスに拡張測定ギャップを要求するようにさらに構成されることを特徴とする請求項２３に記載のＵＥ。
【請求項２６】
前記測定ギャップデバイスは、前記拡張測定ギャップを要求するようにさらに構成されることを特徴とする請求項２５に記載のＵＥ。
【請求項２７】
測定ギャップ中に測定を行うように構成されたユーザ機器（ＵＥ）において、
測定デバイスであって、
ＵＥ固有の測定を行い、
測定ギャップ情報を受信し、
前記測定ギャップ中に外部測定を要求し、
前記外部測定を受信する
ように構成された測定デバイスと、
前記測定デバイスと通信する測定ギャップデバイスであって、
前記ＵＥ固有の測定を受け取り、
無線ネットワークに測定ギャップを要求し、その要求は前記ＵＥ固有の測定を含み、また
前記ネットワークから前記測定ギャップ情報を受信する
ように構成された測定ギャップデバイスと
を備えたことを特徴とするユーザ機器（ＵＥ）。
【請求項２８】
前記測定ギャップ情報は、測定目的の数、測定目的の列挙リスト、測定ギャップパターンスキーム、測定ギャップパターンと異なる測定目的の間のペアリングの列挙、１つのギャップパターン内における異なるギャップタイプの数、１つのギャップパターン内における測定目的のシーケンス、ギャップパターンの１つのギャップ内における測定目的の数、１つのギャップ内における測定目的のシーケンス、測定ギャップパターンパラメータ、ギャップパターン識別子、開始測定ギャップシーケンス番号、測定ギャップ長、測定ギャップ持続時間、および測定ギャップパターン長のうちの少なくとも１つを含むことを特徴とする請求項２７に記載のＵＥ。
【請求項２９】
前記測定デバイスは、前記測定ギャップデバイスに拡張測定ギャップを要求するようにさらに構成されることを特徴とする請求項２７に記載のＵＥ。
【請求項３０】
前記測定ギャップデバイスは、前記ネットワークに前記拡張測定ギャップを要求するようにさらに構成されることを特徴とする請求項２９に記載のＵＥ。
【請求項３１】
測定ギャップを割り当てるように構成された基地局において、
測定ギャップデバイスであって、
ユーザ機器（ＵＥ）から測定ギャップ要求を受信し、前記要求はＵＥ固有の測定を含み、また
前記測定に基づいて前記測定ギャップをスケジュールし、
測定ギャップ情報を前記ＵＥに通知する
ように構成された測定ギャップデバイス
を備えたことを特徴とする基地局。
【請求項３２】
前記測定目的の数、測定目的の列挙リスト、測定ギャップパターンスキーム、測定ギャップパターンと異なる測定目的の間のペアリングの列挙、１つのギャップパターン内における異なるギャップタイプの数、１つのギャップパターン内における測定目的のシーケンス、ギャップパターンの１つのギャップ内における測定目的の数、１つのギャップ内における測定目的のシーケンス、測定ギャップパターンパラメータ、ギャップパターン識別子、開始測定ギャップシーケンス番号、測定ギャップ長、測定ギャップ持続時間、および測定ギャップパターン長のうちの少なくとも１つを含むことを特徴とする請求項３１に記載の基地局。
【請求項３３】
前記測定ギャップデバイスは、
前記ＵＥが測定を行うために追加の時間を必要とする旨の要求を受信し、
拡張測定ギャップをスケジュールし、
前記拡張測定ギャップ情報を前記ＵＥに通知する
ようにさらに構成されることを特徴とする請求項３１に記載の基地局。
【請求項３４】
無線リソースアロケータであって、
前記測定ギャップの終了前に前記ＵＥが測定の実行を完了した旨の通知を前記ＵＥから受信し、
前記測定ギャップに割り当てられている無線リソースを他の目的に再アロケートする
ように構成された無線リソースアロケータ
をさらに備えたことを特徴とする請求項３１に記載の基地局。
【請求項３５】
測定ギャップ中に測定を行うように構成されたユーザ機器（ＵＥ）において、
ＵＥ固有の測定を行うように構成されたＵＥ測定デバイスと、
前記ＵＥ測定デバイスと通信する測定ギャップデバイスであって、
前記ＵＥ固有の測定を受け取り、
無線ネットワークに測定ギャップを要求し、その要求は前記ＵＥ固有の測定を含み、また
測定目的の数、測定目的の列挙リスト、測定ギャップパターンスキーム、測定ギャップパターンと異なる測定目的の間のペアリングの列挙、１つのギャップパターン内における異なるギャップタイプの数、１つのギャップパターン内における測定目的のシーケンス、ギャップパターンの１つのギャップ内における測定目的の数、１つのギャップ内における測定目的のシーケンス、測定ギャップパターンパラメータ、ギャップパターン識別子、開始測定ギャップシーケンス番号、測定ギャップ長、測定ギャップ持続時間、および測定ギャップパターン長のうちの少なくとも１つを含む測定ギャップ情報を、前記ネットワークから受信する
ように構成された測定ギャップデバイスと、
前記測定ギャップデバイスと通信する外部測定デバイスであって、
前記測定ギャップデバイスから測定ギャップ情報を受け取り、
前記測定ギャップ中に外部測定を要求し、
前記外部測定を受信する
ように構成された外部測定デバイスと
を備えたことを特徴とするユーザ機器（ＵＥ）。
【発明の詳細な説明】
【技術分野】
【０００１】
本発明は、無線通信に関する。特に、無線通信のハンドオーバに関する。
【背景技術】
【０００２】
進化型ＵＴＲＡ（ユニバーサル地上無線アクセス（ｕｎｉｖｅｒｓａｌ  ｔｅｒｒｅｓｔｒｉａｌ  ｒａｄｉｏ  ａｃｃｅｓｓ））およびＵＴＲＡＮ（ＵＭＴＳ（ユニバーサル移動体通信システム（Universal Mobile Telecommunications System））地上無線アクセスネットワーク（ＵＭＴＳ  ｔｅｒｒｅｓｔｒｉａｌ  ｒａｄｉｏ  ａｃｃｅｓｓ  ｎｅｔｗｏｒｋ））の目的は、システム容量およびカバレージが改善された、高データレート、低待ち時間、パケット最適化システムに向けた、無線アクセスネットワークを開発することである。これを達成するには、無線インターフェースおよび無線ネットワークアーキテクチャの進化について検討すべきである。例えば、符号分割多元接続（ＣＤＭＡ：ｃｏｄｅ  ｄｉｖｉｓｉｏｎ  ｍｕｌｔｉｐｌｅ  ａｃｃｅｓｓ、第３世代パートナーシッププロジェクト（３ＧＰＰ）で現在使用されている）を使用する代わりに、直交周波数分割多元接続（ＯＦＤＭＡ：orthogonal frequency division multiple access）および周波数分割多元接続（ＦＤＭＡ：ｆｒｅｑｕｅｎｃｙ  ｄｉｖｉｓｉｏｎ  ｍｕｌｔｉｐｌｅ  ａｃｃｅｓｓ）が、それぞれダウンリンクおよびアップリンク送信に使用されるエアインターフェース技術案になっている。
【０００３】
Ｅ−ＵＴＲＡＮにおけるモビリティをサポートするため、ユーザ機器（ＵＥ）は、近隣セルに関するハンドオーバ関連測定を実行できるべきである。近隣セル測定は、広範な現実的かつ一般的な配備シナリオで実行され、そのシナリオには、サービス周波数レイヤ上のセル、別の周波数に属するセル、またはＵＴＲＡＮおよびＧＥＲＡＮ（ＧＳＭ  Ｅｄｇｅ無線アクセスネットワーク（ＧＳＭ  Ｅｄｇｅ  ｒａｄｉｏ  ａｃｃｅｓｓ  ｎｅｔｗｏｒｋ））システムなど他のアクセス技術を利用するセルが含まれる。
【０００４】
Ｅ−ＵＴＲＡによってサポートされる異なるタイプのハンドオーバが、図１に示されている。この分類は、アイドルギャップ（ｉｄｌｅ  ｇａｐ）中にどのタイプのハンドオーバ測定が実施される必要があるかを理解するのに役立つ。「アイドルギャップ」とは、その期間中はどのようなダウンリンクデータも受信しないとＵＥが知っている期間のことであり、本明細書では「測定ギャップ（ｍｅａｓｕｒｅｍｅｎｔ  ｇａｐ）」とも呼ばれる。
【０００５】
ＬＴＥ（ロングタームエボリューション（ｌｏｎｇ  ｔｅｒｍ  ｅｖｏｌｕｔｉｏｎ））内ハンドオーバ（Ｉｎｔｒａ−ＬＴＥ  ｈａｎｄｏｖｅｒ）は、サービスまたは非サービスＥ−ＵＴＲＡ周波数帯内で実行される。ＬＴＥ間ハンドオーバ（Ｉｎｔｅｒ−ＬＴＥ  ｈａｎｄｏｖｅｒ）は、ＲＡＴ（無線アクセス技術（ｒａｄｉｏ  ａｃｃｅｓｓ  ｔｅｃｈｎｏｌｏｇｙ））間ハンドオーバ（ｉｎｔｅｒ−ＲＡＴ  ｈａｎｄｏｖｅｒ）のことであり、ＵＴＲＡまたはＧＥＲＡＮシステムへのハンドオーバに対応する。
【０００６】
Ｅ−ＵＴＲＡ内の周波数内ハンドオーバ（ｉｎｔｒａ−ｆｒｅｑｕｅｎｃｙ  ｈａｎｄｏｖｅｒ）は、さらに２つのカテゴリに分類することができ、それらは、同じ周波数帯内でのハンドオーバであるが、受信帯域幅内にあり得るもの、または受信帯域幅外にあり得るものである。ギャップ測定（ｇａｐ  ｍｅａｓｕｒｅｍｅｎｔ）は、同じ周波数帯内かつ同じ受信帯域幅内のハンドオーバという１つのケースを除いて、すべてのシナリオのために必要とされる。これは、ＬＴＥ以前のシステムにおける状況とは異なっている。
【０００７】
広帯域ＣＤＭＡ（ＷＣＤＭＡ：ｗｉｄｅｂａｎｄ  ＣＤＭＡ）システムでは、周波数分割複信（ＦＤＤ：ｆｒｅｑｕｅｎｃｙ  ｄｉｖｉｓｉｏｎ  ｄｕｐｌｅｘ）は、専用モード（ｄｅｄｉｃａｔｅｄ  ｍｏｄｅ）における基本的に連続した動作であり、したがって、ギャップは、人為的に生成する必要がある。ＵＴＲＡＮからの指令で、ＵＥは、他のＦＤＤ周波数にあるセル、ならびにＵＥによってサポートされる他のモードおよびＲＡＴ（すなわち、ＴＤＤ、ＧＳＭ）にあるセルを監視する。圧縮モード（ｃｏｍｐｒｅｓｓｅｄ  ｍｏｄｅ）は、ＦＤＤの連続送信性のため、ＣＥＬＬ＿ＤＣＨ状態だけで使用される。ＵＥが測定を実行できるように、ＵＴＲＡＮは、ＵＥ能力に応じて、圧縮モードに入るようＵＥに指令を出す。
【０００８】
ＵＥアイドルモード、ＵＲＡ＿ＰＣＨ状態およびＣＥＬＬ＿ＰＣＨ状態では、どのチャネルの連続受信も存在しないので、周波数間およびＲＡＴ間測定のために、圧縮モードは必要とされない。呼出チャネル（ＰＩＣＨ／ＰＣＨ：ｐａｇｉｎｇ  ｃｈａｎｎｅｌ）は、不連続受信（ＤＲＸ：ｄｉｓｃｏｎｔｉｎｕｏｕｓ  ｒｅｃｅｐｔｉｏｎ）に基づいており、サービスセルの報知チャネル（ＢＣＨ：ｂｒｏａｄｃａｓｔ  ｃｈａｎｎｅｌ）は、システム情報が変化した場合にだけ必要とされる。ＣＥＬＬ＿ＦＡＣＨ状態では、下りアクセスチャネル（ＦＡＣＨ：ｆｏｒｗａｒｄ  ａｃｃｅｓｓ  ｃｈａｎｎｅｌ）測定の機会が存在し、それらは、（これらのＦＡＣＨ機会がタイムスロットではなくフレームの増分であることを除いて）等価な接続管理（ＣＭ：ｃｏｎｎｅｃｔｉｏｎ  ｍａｎａｇｅｍｅｎｔ）ギャップを生成するために使用され、また周波数間およびＲＡＴ間測定のために適度に使用することができる。
【０００９】
ＬＴＥシステムはＯＦＤＭＡを使用するので、ＷＣＤＭＡシステムで使用される圧縮モードは、ＯＦＤＭＡベースのＬＴＥシステムではもはや適用可能ではなく、したがって、スケジュールされたギャップ測定が提案されている。ＬＴＥシステムでのある測定は、「ギャップアシスト（ｇａｐ−ａｓｓｉｓｔｅｄ）」であることが必要であり、それは、Ｅ−ＵＴＲＡＮが、その期間中はダウンリンクデータがスケジュールされていないとＵＥが知ることができる期間を提供する必要があることを意味する。このギャップは、異なる周波数でサービスを行っているセルについてＵＥが測定を行うことを可能にする。周波数内測定の場合、測定実行とデータ受信の間に衝突があってはならない。ＵＥは、すでに搬送波を聴取しており、特別な要件なしに測定を行えるべきである。しかし、周波数間およびＲＡＴ間測定の場合、ＵＥは、スケジュールされたデータを喪失することなく、現在のダウンリンクチャネルから離調する必要がある（これはＵＭＴＳでは圧縮モードによって達成される）。
【００１０】
圧縮モードの静的スケジューリングは、柔軟性がなく、スケジュールされたデータおよび短い送信時間間隔（ＴＴＩ：ｔｒａｎｓｍｉｓｓｉｏｎ  ｔｉｍｅ  ｉｎｔｅｒｖａｌ）を有する全パケット交換（ＰＳ：ｐａｃｋｅｔ  ｓｗｉｔｃｈｅｄ）環境にあまり適していない。したがって、Ｅ−ＵＴＲＡＮでは、測定をスケジュールする異なる方法で圧縮モードを置き換える必要がある。
【００１１】
データ喪失を回避するため、Ｅ−ＵＴＲＡＮおよびＵＥは、その間はＵＥに対してダウンリンクデータがスケジュールされていないギャップのタイミングに合意する必要がある。この同期手順は、ネットワークにおけるデータ待ち行列を最小にするため、可能な限り最短の待ち時間を有する必要がある。この問題に対して、ネットワーク統制スケジューリングギャップ（ｎｅｔｗｏｒｋ  ｄｉｒｅｃｔｅｄ  ｓｃｈｅｄｕｌｉｎｇ  ｇａｐ）とＵＥ要求スケジューリングギャップ（ＵＥ  ｒｅｑｕｅｓｔｅｄ  ｓｃｈｅｄｕｌｉｎｇ  ｇａｐ）という、２つのソリューション案が存在する。
【００１２】
ネットワーク統制スケジューリングでは、ＵＥがいつＲＡＴ間および周波数間測定を実行すべきかを、ネットワーク側が決定する。ＵＥ要求スケジューリングでは、ＵＥが、Ｅ−ＵＴＲＡＮに測定ギャップを要求し、Ｅ−ＵＴＲＡＮが、その要求を承認し、または拒否する。ＵＥがバーストトラフィックに対して動作している場合、ＵＥがアクティブ通信状態にない（例えば、「Ｅ−ＭＡＣ周期」または「Ｅ−ＭＡＣ非アクティブ」状態にある）ときに、必要な測定を実行する十分な時間が存在し得るので、ＵＥは、ギャップを要求することはできない。
【発明の概要】
【発明が解決しようとする課題】
【００１３】
しかしながら、ＬＴＥシステム用の周波数間およびＲＡＴ間ハンドオーバに関連する既存のソリューション案から、以下の問題が特定された。
【００１４】
（１）異なる測定目的（例えば、ＦＤＤ、ＴＤＤなど）がＬＴＥにおいて必要とされる場合、１つの測定目的（例えば、ＦＤＤ）のためにただ１つの送信ギャップパターンシーケンスをスケジュールするだけでは不十分である。例えば、ＵＥは、ＬＴＥ内ハンドオーバをサポートするために周波数間測定を、またＧＥＲＡＮへのＲＡＴ間ハンドオーバをサポートするためにＲＡＴ間測定を実行しなければならない。ＵＭＴＳでは、異なる測定目的をサポートするために、異なるギャップパターンシーケンスがスケジュールされるが、（純粋にネットワークによってスケジュールされ制御される）その方式は、ＬＴＥシステムに適していないこともある。
【００１５】
（２）測定ギャップがもっぱらネットワークによってスケジュールされる場合、ネットワークによってスケジュールされたギャップは、周波数間および／またはＲＡＴ間セルの測定に関して、ＵＥモビリティ、軌道（移動トレンド）、セル内での分布、セル中心までの距離、およびＵＥの速度／効率／能力など、ＵＥの現在の状況を正確に反映することができない。したがって、ネットワークによってスケジュールされた測定ギャップは、ダウンリンク帯域幅を過大に割り当てて、無線リソースの浪費をもたらすことがあり、または帯域幅を過小に割り当てて、それによって、ＵＥが必要な測定を実行できないようにすることがある。
【００１６】
（３）ＬＴＥにおいて周波数間またはＲＡＴ間をサポートするために、ＵＥ自律測定が使用される場合、ＵＥは、ダウンリンクトラフィックおよびチャネル状態の独自の感知および検出に基づいて、必要な測定を行うことができ、測定結果だけが、Ｅ−ＵＴＲＡＮに報告される。しかし、Ｅ−ＵＴＲＡＮは、ＵＥがそれらの測定を実行することを必要としないこともあり、またＵＥは、ネットワーク全体の状態が分からない。ＵＥのこうした知識不足は、不必要なデータ処理およびＵＥ電力の浪費を引き起こすことがあり得、またＵＥは、正しい瞬間に正しいセルを測定しないことがあり、それは、必要とされない、または役に立たない測定結果をもたらし得る。
【００１７】
（４）ＵＥアシストギャップスケジューリングのために、ＵＥ自律測定が使用される場合、ＵＥは、測定ギャップを要求し、Ｅ−ＵＴＲＡＮが、ＵＥ要求を承認する。１つのソリューション案によれば、ギャップ測定用のリソースは、ＵＥ要求毎かつ承認毎にスケジュールされ、すなわち、ＵＥは、各測定ギャップを要求しなければならず、Ｅ−ＵＴＲＡＮは、各ＵＥ要求を承認しなければならない。この頻繁な要求／承認動作は、無線リソースを浪費し、非効率的である。
【００１８】
（５）Ｅ−ＵＴＲＡＮが完全なアイドルギャップパターンを与える場合、アイドルギャップが来たとき、所定のギャップ持続時間はおそらく、ハイブリッド自動再送要求（ＨＡＲＱ：ｈｙｂｒｉｄ  ａｕｔｏｍａｔｉｃ  ｒｅｐｅａｔ  ｒｅｑｕｅｓｔ）送信および再送と相互影響する。そのような相互影響は、進行中のＨＡＲＱ送出を一時停止させ、それが、バッファ占有率を増大させ、受信器における組合せおよび並び替え負荷を増大させ、ならびに／またはボイスオーバＩＰ（ＶｏＩＰ）などの遅延に敏感なサービスがサポートされている場合に送信を遅延させる。
【００１９】
（６）１つのスケジュールされた測定ギャップの終了前に、ＵＥが測定の実行を終了した場合、ＵＥは、通常送信用のサービスセルへの早期復帰を要求するために、Ｅ−ＵＴＲＡＮに何らかの情報を送信しなければならない。１つのソリューション案は、この目的を達成するために、チャネル品質インジケータ（ＣＱＩ：ｃｈａｎｎｅｌ  ｑｕａｌｉｔｙ  ｉｎｄｉｃａｔｏｒ）報告を使用するが、その案は、この種の報告のために使用されるリソースが利用可能でないことに気づいていない。したがって、そのようなやり方でのＣＱＩ報告の使用は、達成可能ではない。
【課題を解決するための手段】
【００２０】
一実施形態では、ＬＴＥのための異なる測定目的を達成するために、１つまたは複数の送信ギャップパターンシーケンスをＥ−ＵＴＲＡＮによってスケジュールすることができる。すべての必要な測定目的を遂げるために、１つの送信ギャップパターンシーケンスをスケジュールすることができ、またはＵＥ報告に基づいて、いくつかの測定目的を遂げるために、１つのギャップパターンシーケンスをスケジュールすることができる。
【００２１】
第２の実施形態では、Ｅ−ＵＴＲＡＮは、ＵＥモビリティ、ＵＥ軌道（移動トレンド）、チャネル状態、セル（ｅＮＢ）までの距離、セル配備などに関する報告を検討することによって、ＵＥギャップ測定のためのリソースを割り当てる。
【００２２】
第３の実施形態では、ギャップは、（２つ以上のギャップに基づいた）ある持続時間をもってスケジュールされる。ギャップパターンを変更する必要性を最新のＵＥ状況変化がトリガしたことをＥ−ＵＴＲＡＮが検出した場合は常に、スケジュールされたギャップパターンは、スケジュールされたギャップ持続時間の終了前に調整することができる。
【００２３】
第４の実施形態では、各ギャップの長さは、１つのＨＡＲＱプロセスの送信および再送に対処するために、適応的である。この適応は、データ受信の喪失を回避するために、ＵＥに通知される。
【００２４】
第５の実施形態では、ギャップパターンシーケンス内の１つのギャップの終了前の、サービスセルにおける通常通信への早期復帰を示すために、専用アップリンクリソース、同期ランダムアクセスチャネル（ＲＡＣＨ）、または非同期ＲＡＣＨを使用することができる。専用アップリンクリソースは、好ましくは、この目的にとって効率的な方法で割り当てられる。
【００２５】
測定ギャップ中にユーザ機器（ＵＥ）によって測定を行う方法は、ＵＥ固有の測定を行うことで開始する。ＵＥは、無線ネットワークに測定ギャップを要求し、その要求は、ＵＥ固有の測定を含む。ＵＥは、測定ギャップがスケジュールされている時を含む測定ギャップ情報をネットワークから受信する。ＵＥは、スケジュールされた測定ギャップ中に測定を行う。
【００２６】
測定ギャップをスケジュールするための方法は、測定ギャップを求める要求をＵＥから受信することによって開始し、その要求は、ＵＥ固有の測定を含む。測定ギャップは、受信した測定に基づいてスケジュールされ、測定ギャップ情報が、ＵＥに通知され、それによって、ＵＥは、スケジュールされた測定ギャップ中に測定を行うことができる。ｅＮｏｄｅ  Ｂなどの基地局または他のネットワークエンティティは、この方法を実行するように構成することができる。
【００２７】
例として与えられ、添付の図面と併せて理解される以下の説明から、より詳細な理解を得ることができる。
【図面の簡単な説明】
【００２８】
【図１】Ｅ−ＵＴＲＡによってサポートされるハンドオーバシナリオの図である。
【図２】測定ギャップパターンおよび関連パラメータを示す図である。
【図３】測定ギャップ通知方法のフロー図である。
【図４】ＵＥ速度に基づいて２つの測定ギャップの間の時間長を構成するための方法のフロー図である。
【図５】ＵＥ経路損失に基づいて２つの測定ギャップの間の時間長を構成するための方法のフロー図である。
【図６】図３に示される方法を実施するように構成された、第１のＵＥ実施形態と基地局のブロック図である。
【図７】図３に示される方法を実施するように構成された、第２のＵＥ実施形態と基地局のブロック図である。
【発明を実施するための形態】
【００２９】
以降で言及される場合、「無線送受信ユニット（ＷＴＲＵ）」という用語は、ユーザ機器（ＵＥ）、移動局、固定もしくは移動加入者ユニット、ページャ、セルラ電話、携帯情報端末（ＰＤＡ）、コンピュータ、または無線環境で動作可能な他の任意のタイプのユーザデバイスを含むが、それらに限定されない。以降で言及される場合、「基地局」という用語は、ノードＢ、サイトコントローラ、アクセスポイント（ＡＰ）、または無線環境で動作可能な他の任意のタイプのインターフェースデバイスを含むが、それらに限定されない。
【００３０】
以下の説明では、ギャップスケジューリング決定を行うためのソースとしてＥ−ＵＴＲＡＮが使用されるが、ギャップスケジューリング決定は、特定のアーキテクチャに応じて、ネットワークの任意の部分によって行うことができる。説明の目的で、本明細書で説明されるＥ−ＵＴＲＡＮ機能は、基地局で発生する。ＬＴＥシステムでは、基地局に存在するものとして本明細書で説明されるのと同じ機能が、拡張ノードＢ（ｅＮＢ：ｅｎｈａｎｃｅｄ  Ｎｏｄｅ  Ｂ）に存在することができる。ネットワークによって完全にスケジュールされるギャップ測定またはＵＥ単独の自律的なギャップ測定に加えて、ＬＴＥシステムでは、周波数間およびＲＡＴ間ハンドオーバ測定をサポートするための、ＵＥ要求／Ｅ−ＵＴＲＡＮ承認による測定ギャップスケジューリングを使用することができる。
【００３１】
異なる測定目的のための測定ギャップパターンスケジューリング
ＬＴＥシステム内での周波数間ハンドオーバ、ＦＤＤ、ＴＤＤ、ＧＳＭ搬送波ＲＳＳＩ測定、ＧＳＭ初期基地局識別コード（ＢＳＩＣ）識別、ＢＳＩＣ再確認などを必要とするＲＡＴ間ハンドオーバなど、異なる測定目的に対処するには、特別の考慮が、Ｅ−ＵＴＲＡＮによって、スケジュールされるギャップパターンシーケンスに与えられるべきである。図２は、測定ギャップパターンシーケンス、測定ギャップ、および関連するスケジューリングパラメータの間の関係を示しており、関連するスケジューリングパラメータには、ギャップパターン（ＧＰ；ギャップパターン用の数値識別子）、開始測定ギャップシーケンス番号（ＳＭＧＳＮ；ギャップパターン内の第１のギャップが配置されるサブフレームの識別子であって、ギャップパターンがどこから開始するかを見出すためにＵＥによって使用される）、測定ギャップ長（ＭＧＬ；サブフレーム、ＴＴＩ単位の測定ギャップの長さ、またはミリ秒単位の絶対時間値）、測定ギャップ持続時間（ＭＧＤ；測定ギャップの開始から次の測定ギャップの開始までの時間の長さ）、および測定ギャップパターン長（ＭＧＰＬ；ギャップパターン全体の長さ）などがある。スケジュールされたギャップパターンが、無線リソース制御（ＲＲＣ）信号または媒体アクセス制御（ＭＡＣ）信号によってＵＥに通知される場合、これらのパラメータは、情報要素（ＩＥ：ｉｎｆｏｒｍａｔｉｏｎ  ｅｌｅｍｅｎｔ）内に含まれる。
【００３２】
例えば、第１のギャップパターン（Ｇパターン１）２０２は、ＳＭＧＳＮ  ２０４と、第１のＭＧＬ（ＭＧＬ１）２０８を有する第１の測定ギャップ（測定ギャップ１）２０６と、ＭＧＤ  ２１０を含む。第２の測定ギャップ（測定ギャップ２）２１２は、第２のＭＧＬ（ＭＧＬ２）２１４を有する。第１のギャップパターン全体は、第１のＭＧＰＬ（ＭＧＰＬ１）２１６を有する。同様に、第２のギャップパターン（Ｇパターン１）２２２は、ＳＭＧＳＮ  ２２４と、第１のＭＧＬ（ＭＧＬ１）２２８を有する第１の測定ギャップ（測定ギャップ１）２２６と、ＭＧＤ  ２３０を含む。第２の測定ギャップ（測定ギャップ２）２３２は、第２のＭＧＬ（ＭＧＬ２）２３４を有する。第１のギャップパターン全体は、第１のＭＧＰＬ（ＭＧＰＬ１）２３６を有する。
【００３３】
異なる測定目的をサポートするために、測定ギャップパターンのためのいくつかの異なる手法が存在する。
【００３４】
第１の手法では、ＵＥは、ただ１つの送信ギャップパターンシーケンスを使用することによって、単一の測定目的をサポートする。送信ギャップパターンシーケンスの測定目的は、より高位のレイヤ（ＲＲＣ）またはＭＡＣによって通知される。ギャップパターンシーケンスの数は、測定目的の数に等しく、測定目的の数は、ＵＥの状況および能力に基づいて、Ｅ−ＵＴＲＡＮがＵＥにいくつの目的をサポートするよう要求するかに依存する。Ｎ個の測定目的がＵＥによってサポートされる場合、Ｎ個の異なる測定ギャップパターンシーケンスがスケジュールされるべきである。
【００３５】
異なる測定目的のための異なる測定ギャップパターンの順序が定められて、ＵＥに通知されるべきである。ＲＲＣ信号には、異なる測定ギャップパターンの順序を示すメッセージが存在することができる。例えば、異なる測定ギャップパターンのための事前定義された英字表現（または他の略記形式）が存在することができる。異なる測定ギャップパターンの順序を示す、ギャップパターンの順序付けられた英字表現をＵＥに通知することができる。ＵＭＴＳにおける測定目的と同様の測定目的に加えて、ＬＴＥ内システム内における周波数間セルのための測定ギャップパターンのスケジューリングをサポートするために、新しい測定目的が提案されている。例えば、ＬＴＥシステムでは、ＵＥは、ＵＭＴＳには存在しないＬＴＥ周波数間セルを測定する。
【００３６】
第２の手法では、すべての異なる測定目的をサポートするために、１つの測定ギャップパターンシーケンスがスケジュールされる。ＵＥが、すべての必要な周波数間測定に加えて、ＲＡＴ間測定も処理可能である場合、ただ１つのギャップパターンシーケンスが、スケジュールされる必要がある。
【００３７】
第２の手法の第１のオプションでは、測定ギャップパターン内の各ギャップは、すべての異なる測定目的を実行するために十分長くスケジュールされる。このオプションの場合、ＬＴＥ内、ＦＤＤなど、異なる目的のための測定シーケンスは、Ｅ−ＵＴＲＡＮによって定め、通知することができ、またはＵＥが、ＵＥの状況および能力に基づいて、測定シーケンスを決定する。一例として図２を使用すると、ギャップパターン１（２０２）およびギャップパターン２（２２２）は同じである（すなわち、両方のギャップパターンにおいて、測定ギャップ１（２０６、２２６）および測定ギャップ２（２１２、２３２）は同じ長さである）ので、ギャップは、すべての測定目的をサポートするのに十分な長さである。
【００３８】
第２の手法の第２のオプションでは、異なる測定目的をサポートするために、１からＭまでの異なるギャップ長が順番にスケジュールされる。各ギャップは、１つまたは２つ以上の測定目的をサポートする。各ギャップ間の時間長が、通知されるべきである。異なる測定目的をサポートする各ギャップのシーケンスは、好ましくは、Ｅ−ＵＴＲＡＮによって定められ、通知される。
【００３９】
第３の手法では、いくつかの測定目的をサポートするために、１つのギャップパターンが使用される。これは、上で説明された第１および第２の手法とのトレードオフである。例えば、ＦＤＤ、ＴＤＤ、ＧＳＭ搬送波ＲＳＳＩ測定をサポートするために、１つのギャップパターンを使用することができ、初期ＢＳＩＣ識別およびＢＳＩＣ再確認をサポートするために、第２のギャップパターンを使用することができ、また周波数間ＬＴＥ測定をサポートするために、第３のギャップパターンを使用することができる。測定目的と測定ギャップパターンの他の代替ペアリングは、任意の組合せとすることができる。測定ギャップパターンと異なる測定目的の間のペアリングは、Ｅ−ＵＴＲＡＮからＵＥに通知される。各ギャップパターンに対して、第２の手法のために説明された両方のオプションが適用可能である。
【００４０】
測定ギャップパターンをスケジュールするための情報が、Ｅ−ＵＴＲＡＮのＲＲＣレイヤもしくはＭＡＣレイヤ（もしくはおそらくはＰＨＹレイヤ）から、またはＥ−ＵＴＲＡＮより上位のネットワーク側のより高位のレイヤから通知されるべきである。以下のＩＥパラメータが、Ｅ−ＵＴＲＡＮからＵＥに通知されるべきである。どの測定ギャップパターンスキームが使用されるかに応じて、これらのパラメータの全部または一部だけが通知される必要があり、それらが表１に要約されている。
【００４１】
【表１】
2010516185.tif 000003
【００４２】
測定ギャップパターンのための上記の案は、完全にネットワークによってスケジュールされるギャップスケジューリングが使用されるか、ＵＥによって自律的にスケジュールされるギャップスケジューリングが使用されるか、それともＵＥによりアシストされ、Ｅ−ＵＴＲＡＮによってスケジュールされるギャップスケジューリングが使用されるかには無関係である。
【００４３】
測定ギャップパターンスケジューリング
図３は、ＵＥ  ３０２と基地局３０４の間の測定ギャップ通知方法３００のフロー図である。ＵＥ  ３０２は、現在位置、モビリティ関連測定（例えば、速度、方向など）、ならびにダウンリンクトラフィックおよびチャネル状態などのローカル環境測定を行う（ステップ３１０）。これらの測定に基づいて、ＵＥ  ３０２は、基地局３０４に測定ギャップを要求する（ステップ３１２）。要求の一部として、ＵＥ  ３０２によって行われたローカル測定が、基地局３０４に送信される。ＵＥが測定ギャップを要求する場合、以下のファクタが、すなわち、ＵＥ能力、ＵＥモビリティ、ＵＥ軌道、サービスセル中心までの距離（経路損失（パスロス：ｐａｔｈｌｏｓｓ））、ＵＥチャネル状態、セルサイズ、不連続受信（ＤＲＸ）サイクル、ＵＥが測定することを望む測定目的の数などが、好ましくは、測定され、要求に収めて基地局に報告される。
【００４４】
基地局３０４は、ＵＥ固有の測定に基づいて、測定ギャップをスケジュールする（ステップ３１４）。ＵＥによって要求された場合に基地局によってスケジュールされる測定ギャップは、２つ以上のギャップとすることができ、それが、頻繁な要求および承認のオーバヘッドを低減する。基地局は、好ましくは、１つのファクタだけに基づくのではなく、上記のファクタを総合的に考慮することによって、測定ギャップスケジューリングを行う。
【００４５】
ＵＥ能力が、周波数間ＬＴＥ、ＦＤＤ、ＴＤＤ、ＧＳＭ搬送波ＲＳＳＩ測定、初期ＢＳＩＣ識別、ＢＳＩＣ再確認などのためのギャップ測定をＵＥが行えるかどうかを決定する。必要なギャップ測定だけが、ＵＥの能力限界内でスケジュールされるべきである。
【００４６】
その後、基地局３０４は、測定ギャップ情報をＵＥ  ３０２に通知する（ステップ３１６）。ＵＥ  ３０２は、スケジュールされた測定ギャップ中に、必要とする外部測定を行う（ステップ３１８）。ギャップの終了前にＵＥが測定の実行を終了したかどうかが判定される（ステップ３２０）。
【００４７】
基地局によってスケジュールされた測定ギャップに余裕があり（ｃｏｎｓｅｒｖａｔｉｖｅ）過ぎる場合、すなわち、要求されたすべての測定目的を遂げるのに必要とされるよりもギャップが長い場合、全ギャップ時間の期限切れを待つのは、無線リソースの浪費である。ギャップの終了前にＵＥが測定の実行を終了した場合、ＵＥ  ３０２は、ギャップ時間の期限切れ前に現在のサービスセルにおける通常のアップリンクまたはダウンリンク受信に復帰する旨を、基地局３０４に通知する。ＵＥは、通常受信への復帰を通知するために、以下の方策の１つを使用することができる。
【００４８】
１）ギャップ測定の早期終了を通知するために、非同期ＲＡＣＨを使用することができる。このチャネルの長い待ち時間および大きなオーバヘッドのため、この選択肢は、以下の２つの選択肢と比較して、最後の選択とすることができる。
【００４９】
２）ギャップ測定の早期終了を通知するために、同期ＲＡＣＨを使用することができる。
【００５０】
３）基地局が測定ギャップを割り当てる場合、ギャップ中に専用アップリンクチャネルを割り当てることができる。基地局は、専用アップリンクチャネルが、測定目的および活動などに依存する、各ギャップ内のあるサブフレームから開始できることを通知することができる。その後、ＵＥは、１つのギャップ内における測定活動の早期終了を報告するために、この専用アップリンクチャネルを利用することができる。
【００５１】
早期終了通知を検出すると、基地局は、ギャップの残りに無線リソースを再割り当てし（ステップ３２２）、方法は終了する（ステップ３２４）。
【００５２】
ＵＥが測定の実行を早期に終了しなかった場合（ステップ３２０）、測定を行うためにより多くの時間をＵＥが必要としているかどうかの判定が行われる（ステップ３２６）。測定ギャップパターンは、最新のＵＥ報告情報に基づいて、拡張または調整することができる。ＵＥへの以前の通知は、１つの測定ギャップパターンのための１つの長さを定める。より長い測定ギャップを必要とすることをＵＥが通知した場合、基地局は、ＵＥが継続測定に使用できる、以前に通知されたギャップ長を超える追加のギャップ長を通知するために、ＵＥに信号を送り（ステップ３２８）、ＵＥは、拡張されたギャップ中に、引き続き測定を行う（ステップ３１８）。ＵＥは、（利用可能ならば）周期的なアップリンクチャネルを使用することによって、またはｅＮＢに通知を送信するＲＡＣＨプロセスを通して、より長い測定ギャップを必要とすることを通知する。ギャップパターン拡張に関して、正確なパラメータは、以前のパターンと同じとすることができ、またはＵＥ報告に応じて異なることができる。現在の測定ギャップパターンが以前のパターンに対する拡張であり、ギャップパターンのパラメータが以前のパターンとすべて同じである場合、さらなる新しいパラメータを通知する必要はない。それ以外の場合、新しい通知が必要とされる。
【００５３】
測定を行うためにＵＥがより多くの時間を必要としない場合（ステップ３２６）、方法は終了する（ステップ３２４）。
【００５４】
測定ギャップパターンがスケジュールされた後、ギャップパターンは、割り当てられた開始サブフレームから開始する。しかし、各ギャップの開始は、現在のＨＡＲＱ動作と衝突することがある。基地局が完全なアイドルギャップパターンを与える場合、ギャップが開始したとき、所定のギャップ持続時間はおそらく、ＨＡＲＱ送信および再送と相互影響する。この相互影響は、進行中のＨＡＲＱ送出を一時停止させ、それが、バッファ占有率を増大させ、受信器における組合せおよび並び替え負荷を増大させ、またはボイスオーバＩＰ（ＶｏＩＰ）などの遅延に敏感なサービスがサポートされている場合に送信を遅延させる。
【００５５】
好ましくは、ギャップの開始が、固定タイミングで基地局によってスケジュールされた場合でも、進行中のＨＡＲＱプロセスの終了前であれば、いくつかのサブフレーム分だけギャップの開始を延期することができる。すべてのＨＡＲＱ再送の終了時に、ＵＥは、ギャップの本当の開始の通知をピギーバックし、またはＨＡＲＱ再送の最大数、送達確認ステータスなどに基づいて、ギャップを基地局によって推測することができる。
【００５６】
ＵＥは、好ましくは、ＨＡＲＱプロセスによって遅延させられるサブフレームの数だけギャップを拡張し、基地局は、同じ数のサブフレームだけそのダウンリンク活動の開始を遅延させるべきである。そうすることによって、ＨＡＲＱプロセスに容易に対処できる、基地局によってスケジュールされるギャップパターンにまさる適応的ギャップ長調整を達成することができる。
【００５７】
２つの連続する測定ギャップの間の時間長のスケジューリング
ＵＥが高速で移動している場合、より多くの測定ギャップがスケジュールされるべきであり、すなわち、２つのギャップの間の時間長は、ＵＥが相対的に低速で移動している場合よりも短くすることができる。これを行うことによって、ＵＥは、周波数間またはＲＡＴ間セルを測定するための十分な機会を得て、高いモビリティにおいて正しいハンドオーバ決定を行うことができる。また、ＵＥは、相対的に低いモビリティで移動している場合は、電力を節約し、より少ない無線リソースを使用することができるが、正しいハンドオーバ決定を行うために十分な測定を依然として獲得することができる。
【００５８】
測定ギャップ情報は、デフォルトのギャップ密度（すなわち、２つの連続する測定ギャップの間の時間長）を含むが、ギャップ密度は、様々な閾値と比較されるＵＥモビリティに基づくことができる。デフォルトのギャップ密度は、任意の状態において、測定ギャップ期間の開始時に使用することができる。所定の期間中にＵＥのモビリティが変化した場合、ギャップ密度を調整することができる。所定の期間中におけるＵＥのモビリティの変化を要求することによって、高速のギャップ密度変化のピンポン効果（ｐｉｎｇ−ｐｏｎｇ  ｅｆｆｅｃｔ）を回避することができる。
【００５９】
図４は、ＵＥ速度に基づいて測定ギャップ密度を構成するための方法４００のフローチャートである。図４に示されるように、Ｖは、ＵＥの速度（ＶＵＥ）および関連する閾値（Ｖｈｉｇｈ、Ｖｍｅｄｉｕｍ、Ｖｌｏｗ）を表し、Ｔは、ＵＥの速度がその閾値と比較される期間（Ｔｖｅｌｏｃｉｔｙ＿ｈｉｇｈ、Ｔｖｅｌｏｃｉｔｙ＿ｍｅｄｉｕｍ、Ｔｖｅｌｏｃｉｔｙ＿ｌｏｗ）を表し、Ｌは、ＵＥに割り当てられた２つの隣接する測定ギャップの間の時間長を表す。２つの連続するギャップの間の時間長を強制することによって、ＵＥは、「標準」データを送受信することができ、測定を行うのにあまり多くの時間を費やさない。
【００６０】
基地局は、ＵＥの速度情報を受け取り（ステップ４０２）、それを複数の閾値と比較する（ステップ４０４）。ＵＥの速度が所定の期間（Ｔｖｅｌｏｃｉｔｙ＿ｈｉｇｈ）にわたって高速度閾値より大きい場合（ＶＵＥ＞Ｖｈｉｇｈ）（ステップ４０６）、２つの連続する測定ギャップの間で短い期間（Ｌｓｈｏｒｔ）が使用され（ステップ４０８）、方法は終了する（ステップ４１０）。ＵＥの速度が所定の期間（Ｔｖｅｌｏｃｉｔｙ＿ｍｅｄｉｕｍ）にわたって高速度閾値と低速度閾値の間にある場合（Ｖｈｉｇｈ＞＝ＶＵＥ＞＝Ｖｌｏｗ）（ステップ４１２）、２つの連続する測定ギャップの間で中間の期間（Ｌｍｅｄｉｕｍ）が使用され（ステップ４１４）、方法は終了する（ステップ４１０）。ＵＥの速度が所定の期間（Ｔｖｅｌｏｃｉｔｙ＿ｌｏｗ）にわたって低速度閾値より低い場合（ＶＵＥ＜Ｖｌｏｗ）（ステップ４１６）、２つの連続する測定ギャップの間で長い期間（Ｌｌｏｎｇ）が使用され（ステップ４１８）、方法は終了する（ステップ４１０）。ＵＥの速度が関連する所定の期間にわたって先の閾値のいずれをも満たさない場合、ギャップ密度に変化はなく（ステップ４２０）、すなわち、デフォルトのギャップ密度または直近のギャップ密度値が引き続き使用され、方法は終了する（ステップ４１０）。
【００６１】
ＵＥ軌道（移動トレンド）およびサービスセル内におけるＵＥ分布は、別のファクタである。ＵＥの運動が有用な情報を提供できないセル中心の周りの円軌道を示すことが時々あるので、測定ギャップスケジューリングのために、ＵＥ軌道をサービスセル中心までのＵＥの距離と組み合わせることができる。
【００６２】
サービスセル中心までのＵＥ距離（経路損失）は、２つの連続する測定ギャップの間の時間長を決定するために使用できる別のファクタである。ＵＥがサービスセルの中心に向かって移動している場合、より少ない測定ギャップがスケジュールされるべきであり、すなわち、２つのギャップの間の長さは、ＵＥがセルの縁に向かって移動している場合よりも長くすることができる。経路損失は、サービスセル中心までのＵＥ距離を表すメトリックとすることができる。
【００６３】
図５は、ＵＥ経路損失に基づいて測定ギャップ密度を構成するための方法５００のフローチャートである。図５に示されるように、Ｐは、ＵＥの経路損失（ＰＵＥ）および関連する閾値（Ｐｈｉｇｈ、Ｐｍｅｄｉｕｍ、Ｐｌｏｗ）を表し、Ｔは、ＵＥの経路損失がその閾値と比較される期間（Ｔｐｌ＿ｈｉｇｈ、Ｔｐｌ＿ｍｅｄｉｕｍ、Ｔｐｌ＿ｌｏｗ）を表し、Ｌは、ＵＥに割り当てられた２つの隣接する測定ギャップの間の時間長を表す。
【００６４】
基地局は、ＵＥの経路損失情報を受け取り（ステップ５０２）、それを複数の閾値と比較する（ステップ５０４）。ＵＥの経路損失が所定の期間（Ｔｐｌ＿ｈｉｇｈ）にわたって高経路損失閾値より大きい場合（ＰＵＥ＞Ｐｈｉｇｈ）（ステップ５０６）、２つの連続する測定ギャップの間で短い期間（Ｌｓｈｏｒｔ）が使用され（ステップ５０８）、方法は終了する（ステップ５１０）。ＵＥの経路損失が所定の期間（Ｔｐｌ＿ｍｅｄｉｕｍ）にわたって高経路損失閾値と低経路損失閾値の間にある場合（Ｐｈｉｇｈ＞＝ＰＵＥ＞＝Ｐｌｏｗ）（ステップ５１２）、２つの連続する測定ギャップの間で中間の期間（Ｌｍｅｄｉｕｍ）が使用され（ステップ５１４）、方法は終了する（ステップ５１０）。ＵＥの経路損失が所定の期間（Ｔｐｌ＿ｌｏｗ）にわたって低経路損失閾値より低い場合（ＰＵＥ＜Ｐｌｏｗ）（ステップ５１６）、２つの連続する測定ギャップの間で長い期間（Ｌｌｏｎｇ）が使用され（ステップ５１８）、方法は終了する（ステップ５１０）。ＵＥの経路損失が関連する所定の期間にわたって先の閾値のいずれをも満たさない場合、ギャップ密度に変化はなく（ステップ５２０）、すなわち、デフォルトのギャップ密度または直近のギャップ密度値が引き続き使用され、方法は終了する（ステップ５１０）。
【００６５】
ＵＥ速度およびＵＥ経路損失測定がともに利用可能である場合、セル中心からのＵＥの距離はギャップ間隔の決定により大きな影響を有するので、経路損失を使用したほうがより良好な結果をもたらすことができる。例えば、ＵＥがサービスセル中心に近い場合、測定ギャップをスケジュールする必要がないことも可能である。
【００６６】
測定ギャップスケジューリング中に考慮できる別のファクタは、ＵＥチャネル状態である。ＵＥが貧弱なチャネル状態（チャネル状態はチャネル品質インジケータ（ＣＱＩ）によって表すことができる）を経験している場合、Ｅ−ＵＴＲＡＮは、データ送信ではなく、ギャップ測定のためにリソースをスケジュールすることができる。そうすることによって、ネットワークは、高い誤り率でパケットを紛失することを回避することができ、このチャネル状態を利用して、周波数間およびＲＡＴ間測定を行うのが効率的である。
【００６７】
測定ギャップの密度および数は、サービスセルサイズに基づいてスケジュールされるべきである。サービスセルサイズが小さい場合は、より多くの測定ギャップがスケジュールされるべきであり、そうでない場合は、より少ない測定ギャップがスケジュールされるべきである。
【００６８】
測定ギャップパターンスケジューリングを実施するためのＵＥおよび基地局
図６は、図３に示された方法３００を実施するように構成された、ＵＥ  ６０２と基地局６０４を含むシステム６００のブロック図である。ＵＥ  ６０２は、ＵＥ測定デバイス６１０と、測定ギャップデバイス６１２と、外部測定デバイス６１４と、送受信機６１６と、アンテナ６１８を含む。基地局６０４は、アンテナ６３０と、送受信機６３２と、測定ギャップデバイス６３４と、無線リソースアロケータ６３６を含む。
【００６９】
動作面では、ＵＥ測定デバイス６１０は、ＵＥ  ６０２においてローカル環境測定を行う。測定６２０は、測定ギャップデバイス６１２に渡され、測定ギャップデバイス６１２は、その測定を使用して、測定ギャップ要求６２２を構成する。ギャップ要求６２２は、ＵＥ測定６２０を含み、測定ギャップデバイス６３４に送信される。測定ギャップデバイス６３４は、ＵＥ測定を解析し、ＵＥ  ６０２のための測定ギャップ６２４をスケジュールする。測定ギャップデバイス６３４は、測定ギャップ情報６２４を測定ギャップデバイス６１２に送信する。測定ギャップデバイス６１２は、測定ギャップ情報６２４を外部測定デバイス６１４に転送する。
【００７０】
外部測定デバイス６１４は、他の基地局に測定を要求し（６２６）、他の基地局から測定を受信する（６２８）。外部測定デバイス６１４は、割り当てられた測定ギャップの終了前に外部測定を完了した場合、測定ギャップデバイス６１２に通知し、測定ギャップデバイス６１２は、測定ギャップの終了前に測定が完了した旨を基地局６０４に通知する（６４０）。無線リソースアロケータは、通知６４０を受け取り、測定ギャップの残りに無線リソースを再アロケートする（６４２）。同様に、外部測定デバイス６１４は、測定を完了するために追加の時間を必要とする場合、測定ギャップデバイス６１２に通知して、基地局６０４に拡張ギャップを要求する。
【００７１】
図７は、図３に示された方法３００を実施するように構成された、ＵＥ  ７０２と基地局７０４を含む代替システム７００のブロック図である。ＵＥ  ７０２は、測定デバイス７１０と、測定ギャップデバイス７１２と、送受信機７１６と、アンテナ７１８を含む。基地局７０４は、アンテナ７３０と、送受信機７３２と、測定ギャップデバイス７３４と、無線リソースアロケータ７３６を含む。
【００７２】
動作面では、測定デバイス７１０は、ＵＥ  ７０２においてローカル環境測定を行う。測定７２０は、測定ギャップデバイス７１２に渡され、測定ギャップデバイス７１２は、その測定を使用して、測定ギャップ要求７２２を構成する。ギャップ要求７２２は、ＵＥ測定７２０を含み、測定ギャップデバイス７３４に送信される。測定ギャップデバイス７３４は、ＵＥ測定を解析し、ＵＥ  ７０２のための測定ギャップ７２４をスケジュールする。測定ギャップデバイス７３４は、測定ギャップ情報７２４を測定ギャップデバイス７１２に送信する。測定ギャップデバイス７１２は、測定ギャップ情報７２４を測定デバイス７１０に転送する。
【００７３】
測定デバイス７１０は、他の基地局に測定を要求し（７２６）、他の基地局から測定を受信する（７２８）。測定デバイス７１０は、割り当てられた測定ギャップの終了前に外部測定を完了した場合、測定ギャップデバイス７１２に通知し、測定ギャップデバイス７１２は、測定ギャップの終了前に測定が完了した旨を基地局７０４に通知する（７４０）。無線リソースアロケータは、通知７４０を受け取り、測定ギャップの残りに無線リソースを再アロケートする（７４２）。同様に、測定デバイス７１０は、測定を完了するために追加の時間を必要とする場合、測定ギャップデバイス７１２に通知して、基地局７０４に拡張ギャップを要求する。
【００７４】
本発明の特徴および要素が好ましい実施形態において特定の組合せで説明されたが、各特徴または要素は、好ましい実施形態の他の特徴および要素を伴わずに単独で使用することができ、または本発明の他の特徴および要素を伴うもしくは伴わない様々な組合せで使用することができる。本発明で提供された方法またはフローチャートは、汎用コンピュータまたはプロセッサによる実行のための、コンピュータ可読記憶媒体内で有形に実施される、コンピュータプログラム、ソフトウェア、またはファームウェアで実施することができる。コンピュータ可読記憶媒体の例は、リードオンリメモリ（ＲＯＭ）、ランダムアクセスメモリ（ＲＡＭ）、レジスタ、キャッシュメモリ、半導体メモリデバイス、内蔵ハードディスクおよび着脱可能ディスクなどの磁気媒体、光磁気媒体、ならびにＣＤ−ＲＯＭディスクおよびデジタル多用途ディスク（ＤＶＤ）などの光媒体を含む。
【００７５】
適切なプロセッサは、一例として、汎用プロセッサ、専用プロセッサ、従来型プロセッサ、デジタル信号プロセッサ（ＤＳＰ）、複数のマイクロプロセッサ、ＤＳＰコアと連携する１つもしくは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、および／または状態機械を含む。
【００７６】
ソフトウェアと連携するプロセッサは、無線送受信ユニット（ＷＴＲＵ）、ユーザ機器（ＵＥ）、端末、基地局、無線ネットワークコントローラ（ＲＮＣ）、または任意のホストコンピュータで使用される無線周波送受信機を実施するために使用することができる。ＷＴＲＵは、カメラ、ビデオカメラモジュール、ビデオフォン、スピーカフォン、バイブレーションデバイス、スピーカ、マイクロフォン、テレビ送受信機、ハンズフリーヘッドセット、キーボード、Ｂｌｕｅｔｏｏｔｈ（登録商標）モジュール、周波数変調（ＦＭ）ラジオユニット、液晶表示（ＬＣＤ）ディスプレイユニット、有機発光ダイオード（ＯＬＥＤ）ディスプレイユニット、デジタル音楽プレーヤ、メディアプレーヤ、ビデオゲームプレーヤモジュール、インターネットブラウザ、および／または任意の無線ローカルエリアネットワーク（ＷＬＡＮ）モジュールなど、ハードウェアおよび／またはソフトウェアで実施されるモジュールと併せて使用することができる。
【００７７】
実施形態
１．測定ギャップ中にユーザ機器（ＵＥ）によって測定を行う方法であって、ＵＥ固有の測定を行うステップと、無線ネットワークに測定ギャップを要求するステップであって、その要求はＵＥ固有の測定を含む、ステップと、ネットワークから測定ギャップ情報を受信するステップであって、測定ギャップ情報は測定ギャップがスケジュールされている時を含む、ステップと、スケジュールされた測定ギャップ中に測定を行うステップとを含む方法。
【００７８】
２．測定ギャップ情報は、測定目的の数、測定目的の列挙リスト、測定ギャップパターンスキーム、測定ギャップパターンと異なる測定目的の間のペアリングの列挙、１つのギャップパターン内における異なるギャップタイプの数、１つのギャップパターン内における測定目的のシーケンス、ギャップパターンの１つのギャップ内における測定目的の数、１つのギャップ内における測定目的のシーケンス、測定ギャップパターンパラメータ、ギャップパターン識別子、開始測定ギャップシーケンス番号、測定ギャップ長、測定ギャップ持続時間、および測定ギャップパターン長のうちの少なくとも１つを含む、実施形態１に記載の方法。
【００７９】
３．測定ギャップの終了前にすべての測定が行われたかどうかを判定するステップと、測定ギャップの終了前にすべての測定が行われた場合、ネットワークに通知を送信するステップと、測定ギャップの終了前にすべての測定が行われていない場合、ネットワークに拡張測定ギャップを要求するステップとをさらに含む、実施形態１または２に記載の方法。
【００８０】
４．測定ギャップをスケジュールする方法であって、測定ギャップを求める要求をユーザ機器（ＵＥ）から受信するステップであって、その要求はＵＥ固有の測定を含む、ステップと、受信した測定に基づいて測定ギャップをスケジュールするステップと、測定ギャップ情報をＵＥに通知するステップであって、それによって、ＵＥはスケジュールされた測定ギャップ中に測定を行うことができる、ステップとを含む方法。
【００８１】
５．スケジュールするステップが、ＵＥによって要求された各測定目的に対して１つの測定ギャップをスケジュールするステップを含む、実施形態４に記載の方法。
【００８２】
６．異なる測定ギャップが、ＵＥによって監視される各無線技術に対してスケジュールされる、実施形態５に記載の方法。
【００８３】
７．監視される無線技術は、ロングタームエボリューション周波数間（ｌｏｎｇ  ｔｅｒｍ  ｅｖｏｌｕｔｉｏｎ  ｉｎｔｅｒ−ｆｒｅｑｕｅｎｃｙ）、グローバルエボリューション無線アクセスネットワークのための移動体通信用グローバルシステム拡張データレート（global system for mobile communication enhanced data rates for global evolution radio access network）、ユニバーサル移動体通信システム地上無線アクセスネットワーク、符号分割多元接続２０００、８０２．１１、８０２．１６、および８０２．２１のうちの少なくとも１つである、実施形態６に記載の方法。
【００８４】
８．スケジュールするステップが、ＵＥによって要求された各測定目的に対して異なる測定ギャップ長をスケジュールするステップを含む、実施形態４に記載の方法。
【００８５】
９．異なる測定ギャップが、ＵＥによって監視される各無線技術に対してスケジュールされる、実施形態８に記載の方法。
【００８６】
１０．監視される無線技術は、ロングタームエボリューション周波数間、グローバルエボリューション無線アクセスネットワークのための移動体通信用グローバルシステム拡張データレート、ユニバーサル移動体通信システム地上無線アクセスネットワーク、符号分割多元接続２０００、８０２．１１、８０２．１６、および８０２．２１のうちの少なくとも１つである、実施形態９に記載の方法。
【００８７】
１１．測定ギャップ情報は、測定目的の数、測定目的の列挙リスト、測定ギャップパターンスキーム、測定ギャップパターンと異なる測定目的の間のペアリングの列挙、１つのギャップパターン内における異なるギャップタイプの数、１つのギャップパターン内における測定目的のシーケンス、ギャップパターンの１つのギャップ内における測定目的の数、１つのギャップ内における測定目的のシーケンス、測定ギャップパターンパラメータ、ギャップパターン識別子、開始測定ギャップシーケンス番号、測定ギャップ長、測定ギャップ持続時間、および測定ギャップパターン長のうちの少なくとも１つを含む、実施形態４に記載の方法。
【００８８】
１２．測定ギャップの終了前にＵＥが測定の実行を完了した旨の通知を受信するステップと、その測定ギャップに割り当てられている無線リソースを他の目的に再アロケートするステップとをさらに含む、実施形態４〜１１の１つに記載の方法。
【００８９】
１３．ＵＥが測定を行うために追加の時間を必要とする旨の要求を受信するステップと、拡張測定ギャップをスケジュールするステップと、拡張測定ギャップ情報をＵＥに通知するステップとをさらに含む、実施形態４〜１１の１つに記載の方法。
【００９０】
１４．連続する測定ギャップの間の時間長を決定するステップをさらに含む、実施形態４〜１３の１つに記載の方法。
【００９１】
１５．決定するステップが、ＵＥの速度測定を受け取るステップと、ＵＥ速度測定を複数の閾値と比較するステップと、比較結果に基づいて時間長を決定するステップとを含む、実施形態１４に記載の方法。
【００９２】
１６．ＵＥ速度が所定の期間にわたって高速度閾値より大きい場合、短い時間長を使用する、実施形態１５に記載の方法。
【００９３】
１７．ＵＥ速度が所定の期間にわたって高速度閾値と低速度閾値の間にある場合、中間の時間長を使用する、実施形態１５に記載の方法。
【００９４】
１８．ＵＥ速度が所定の期間にわたって低速度閾値より低い場合、長い時間長を使用する、実施形態１５に記載の方法。
【００９５】
１９．決定するステップが、ＵＥの経路損失測定を受け取るステップと、ＵＥ経路損失測定を複数の閾値と比較するステップと、比較結果に基づいて時間長を決定するステップとを含む、実施形態１４に記載の方法。
【００９６】
２０．ＵＥ経路損失が所定の期間にわたって高経路損失閾値より大きい場合、短い時間長を使用する、実施形態１９に記載の方法。
【００９７】
２１．ＵＥ経路損失が所定の期間にわたって高経路損失閾値と低経路損失閾値の間にある場合、中間の時間長を使用する、実施形態１９に記載の方法。
【００９８】
２２．ＵＥ経路損失が所定の期間にわたって低経路損失閾値より低い場合、長い時間長を使用する、実施形態１９に記載の方法。
【００９９】
２３．測定ギャップ中に測定を行うように構成されたユーザ機器（ＵＥ）において、ＵＥ固有の測定を行うように構成されたＵＥ測定デバイスと、ＵＥ測定デバイスと通信する測定ギャップデバイスと、測定ギャップデバイスと通信する外部測定デバイスとを含むユーザ機器（ＵＥ）。測定ギャップデバイスは、ＵＥ固有の測定を受け取り、無線ネットワークに測定ギャップを要求し、その要求はＵＥ固有の測定を含み、またネットワークから測定ギャップ情報を受信するように構成される。外部測定デバイスは、測定ギャップデバイスから測定ギャップ情報を受け取り、測定ギャップ中に外部測定を要求し、外部測定を受信するように構成される。
【０１００】
２４．測定ギャップ情報は、測定目的の数、測定目的の列挙リスト、測定ギャップパターンスキーム、測定ギャップパターンと異なる測定目的の間のペアリングの列挙、１つのギャップパターン内における異なるギャップタイプの数、１つのギャップパターン内における測定目的のシーケンス、ギャップパターンの１つのギャップ内における測定目的の数、１つのギャップ内における測定目的のシーケンス、測定ギャップパターンパラメータ、ギャップパターン識別子、開始測定ギャップシーケンス番号、測定ギャップ長、測定ギャップ持続時間、および測定ギャップパターン長のうちの少なくとも１つを含む、実施形態２３に記載のＵＥ。
【０１０１】
２５．外部測定デバイスは、測定ギャップデバイスに拡張測定ギャップを要求するようにさらに構成される、実施形態２３または２４に記載のＵＥ。
【０１０２】
２６．測定ギャップデバイスは、拡張測定ギャップを要求するようにさらに構成される、実施形態２５に記載のＵＥ。
【０１０３】
２７．測定ギャップ中に測定を行うように構成されたユーザ機器（ＵＥ）において、測定デバイスと、測定デバイスと通信する測定ギャップデバイスとを含むユーザ機器（ＵＥ）。測定デバイスは、ＵＥ固有の測定を行い、測定ギャップ情報を受信し、測定ギャップ中に外部測定を要求し、外部測定を受信するように構成される。測定ギャップデバイスは、ＵＥ固有の測定を受け取り、無線ネットワークに測定ギャップを要求し、その要求はＵＥ固有の測定を含み、またネットワークから測定ギャップ情報を受信するように構成される。
【０１０４】
２８．測定ギャップ情報は、測定目的の数、測定目的の列挙リスト、測定ギャップパターンスキーム、測定ギャップパターンと異なる測定目的の間のペアリングの列挙、１つのギャップパターン内における異なるギャップタイプの数、１つのギャップパターン内における測定目的のシーケンス、ギャップパターンの１つのギャップ内における測定目的の数、１つのギャップ内における測定目的のシーケンス、測定ギャップパターンパラメータ、ギャップパターン識別子、開始測定ギャップシーケンス番号、測定ギャップ長、測定ギャップ持続時間、および測定ギャップパターン長のうちの少なくとも１つを含む、実施形態２７に記載のＵＥ。
【０１０５】
２９．測定デバイスは、測定ギャップデバイスに拡張測定ギャップを要求するようにさらに構成される、実施形態２７または２８に記載のＵＥ。
【０１０６】
３０．測定ギャップデバイスは、ネットワークに拡張測定ギャップを要求するようにさらに構成される、実施形態２９に記載のＵＥ。
【０１０７】
３１．測定ギャップを割り当てるように構成された基地局において、測定ギャップデバイスを含み、測定ギャップデバイスは、ユーザ機器（ＵＥ）から測定ギャップ要求を受信し、その要求はＵＥ固有の測定を含み、また測定に基づいて測定ギャップをスケジュールし、測定ギャップ情報をＵＥに通知するように構成される、基地局。
【０１０８】
３２．測定ギャップ情報は、測定目的の数、測定目的の列挙リスト、測定ギャップパターンスキーム、測定ギャップパターンと異なる測定目的の間のペアリングの列挙、１つのギャップパターン内における異なるギャップタイプの数、１つのギャップパターン内における測定目的のシーケンス、ギャップパターンの１つのギャップ内における測定目的の数、１つのギャップ内における測定目的のシーケンス、測定ギャップパターンパラメータ、ギャップパターン識別子、開始測定ギャップシーケンス番号、測定ギャップ長、測定ギャップ持続時間、および測定ギャップパターン長のうちの少なくとも１つを含む、実施形態３１に記載の基地局。
【０１０９】
３３．測定ギャップデバイスは、ＵＥが測定を行うために追加の時間を必要とする旨の要求を受信し、拡張測定ギャップをスケジュールし、拡張測定ギャップ情報をＵＥに通知するようにさらに構成される、実施形態３１または３２に記載の基地局。
【０１１０】
３４．無線リソースアロケータをさらに含み、無線リソースアロケータは、測定ギャップの終了前にＵＥが測定の実行を完了した旨の通知をＵＥから受信し、その測定ギャップに割り当てられている無線リソースを他の目的に再アロケートするように構成される、実施形態３１〜３３の１つに記載の基地局。
【０１１１】
３５．測定ギャップ中に測定を行うように構成されたユーザ機器（ＵＥ）において、ＵＥ固有の測定を行うように構成されたＵＥ測定デバイスと、ＵＥ測定デバイスと通信する測定ギャップデバイスと、測定ギャップデバイスと通信する外部測定デバイスとを含むユーザ機器（ＵＥ）。測定ギャップデバイスは、ＵＥ固有の測定を受け取り、無線ネットワークに測定ギャップを要求するように構成され、その要求はＵＥ固有の測定を含み、またネットワークから測定ギャップ情報を受信するように構成され、測定ギャップ情報は、測定目的の数、測定目的の列挙リスト、測定ギャップパターンスキーム、測定ギャップパターンと異なる測定目的の間のペアリングの列挙、１つのギャップパターン内における異なるギャップタイプの数、１つのギャップパターン内における測定目的のシーケンス、ギャップパターンの１つのギャップ内における測定目的の数、１つのギャップ内における測定目的のシーケンス、測定ギャップパターンパラメータ、ギャップパターン識別子、開始測定ギャップシーケンス番号、測定ギャップ長、測定ギャップ持続時間、および測定ギャップパターン長のうちの少なくとも１つを含む。外部測定デバイスは、前記測定ギャップデバイスから測定ギャップ情報を受け取り、測定ギャップ中に外部測定を要求し、外部測定を受信するように構成される。
【図１】
2010516185.tif 000004
【図２】
2010516185.tif 000005
【図３】
2010516185.tif 000006
【図４】
2010516185.tif 000007
【図５】
2010516185.tif 000008
【図６】
2010516185.tif 000009
【図７】
2010516185.tif 000010
【国際調査報告】
2010516185.tif 000011
2010516185.tif 000012
2010516185.tif 000013